(57)【要約】【課題】手や衣服を汚すことがなく、簡単に犬の糞を処理できるようにした糞処理具を提供する。【解決手段】汚物収集部１の底部１６に開口１１を形成する。汚物収集部１を先端部１３と側壁１４ａ、１４ｂと背壁１５とで囲み、先端壁部１３を傾斜させる。汚物収納用袋３の開口縁２１を外側に折り返し、汚物収納用袋３を底部１６の開口１１を介して挿入し、折り返された部分を先端壁部１３および側壁部１４ａ、１４ｂの周縁に引っ掛けて固定する。汚物収集部１に汚物収納用袋３を取り付けると、手を汚さずに、犬の糞５を汚物収納用袋３に簡単に収納することができる。先端壁部１３が傾斜しているので、作業性が上がり、犬の糞５が汚物収納用袋３に確実に落下する。【選択図】　　　　図１
0003098074.tif 000002
【実用新案登録請求の範囲】
【請求項１】
開口を有する底部と、前記底部から外側に広がるような傾斜を有して延出する先端壁部と、前記底部の周囲を囲む壁部とからなる汚物収集部を有し、
汚物収納用袋を前記底部の開口を介して挿入し、前記汚物収納用袋の開口縁を折り返し、前記折り返された部分を前記先端壁部および前記側壁部の周縁に引っ掛けて固定するようにしたことを特徴とする糞処理具。
【請求項２】
前記側壁部の周縁部の一部に、前記汚物収納袋の滑り止め部材を設けたことを特徴とする請求項１に記載の糞処理具。
【請求項３】
前記先端壁部と対向する側に、前記汚物収納袋を固定するための係止手段を設けたことを特徴とする請求項１に記載の糞処理具。
【請求項４】
前記係止手段は、係止用のクリップであることを特徴とする請求項３に記載の糞処理具。
【請求項５】
前記係止手段は、係止用の溝部であることを特徴とする請求項３に記載の糞処理具。
【請求項６】
前記係止手段は、係止用フックであることを特徴とする請求項３に記載の糞処理具。
【請求項７】
前記汚物収集部の把手部に、着脱自在のヘラの収納部を設けたことを特徴とする請求項１乃至６のいずれかに記載の糞処理具。
【考案の詳細な説明】
【０００１】
【考案の属する技術分野】
本考案は、犬の散歩時に携帯し、犬の糞を処理するのに用いて好適な糞処理具に関する。
【０００２】
【従来の技術】
犬を散歩させたときに、飼い主が犬の糞を放置したままにし、道路や公園を犬の糞で汚し、環境を悪化させることが社会問題化している。このため、犬を散歩させるときには、飼い主は、ビニル袋や空缶と、スコップや割り箸を携帯し、犬が道路等で糞をしたら、地面に落下した糞をスコップや割り箸で拾い取り、ビニル袋や空缶に収納し、持ち帰ることが望まれている。しかしながら、このような犬の散歩時における糞の処理は、汚い作業であり、また、作業中に、手や衣服に糞が付き、不衛生であるので、飼い主にとっては好ましいものではない。
【０００３】
また、犬の糞を効率的に衛生的に処理できるようにするために、糞処理具がいくつか提案されている。たとえば、特許文献１には、受け板に汚物の排出口を設け、排出口の下方に汚物収納袋を着脱自在に取り付けるようにしたものが提案されている。
【０００４】
【特許文献１】
特開２００１−１３６８５６号
【０００５】
【考案が解決しようとする課題】
このような特許文献１で示されている糞処理具は、構造が複雑であり高価となり、また専用の処理袋が必要であるという問題点がある。一方、従来のような犬の糞をスコップや割り箸で拾い取って、ビニル袋や空缶に入れる作業は、作業性が悪く、また、糞で手や衣類を汚してしまうことがあり、不衛生であるという問題がある。
【０００６】
したがって、この考案の目的は、上述の課題を鑑み、手や衣服を汚すことがなく、作業性が良好で安価に提供できる糞処理具を提供することにある。
【０００７】
【課題を解決するための手段】
第１の考案は、開口を有する底部と、底部から外側に広がるような傾斜を有して延出する先端壁部と、底部の周囲を囲む壁部とからなる汚物収集部を有し、汚物収納用袋を底部の開口を介して挿入し、汚物収納用袋の開口縁を折り返し、折り返された部分を先端壁部および側壁部の周縁部に引っ掛けて固定するよう構成される。汚物収集部に汚物収納用袋を取り付けると、汚物収集部により、犬の糞を拾い上げ、この犬の糞を、手を汚さずに、汚物収納用袋に簡単に収納することができ、また、手を汚さずに、簡単に汚物収納用袋を外すことができる。また、汚物収集部の先端壁部は、外側に傾斜角を有して延出しているため、先端壁部の周縁が鋭角となり、糞取り作業が効果的に行えるとともに、拾い上げた糞を確実に汚物収納用袋に収納することができる。
【０００８】
第２の考案では、側壁部の周縁部に、汚物収納袋の滑り止め部材を設けている。このため、汚物収納用袋が落下するのが防止できる。
【０００９】
第３の考案では、先端壁部と対向する側に、汚物収納袋を固定するための係止手段を設けている。このため、汚物収納用袋をさらに確実に固定できる。
【００１０】
第４の考案では、汚物収集部の把手部に、着脱自在のヘラの収納部を設けている。このため、糞処理作業をする際に、ヘラを忘れずに携帯することができる。
【００１１】
【考案の実施の形態】
第１の実施の形態
以下、本考案の実施の形態について図面を参照して説明する。図１は本考案が適用された糞処理具の第１の実施の形態の平面図および側面図であり、図２はその斜視図である。図１および図２において、１は汚物収集部、２は把手である。汚物収集部１と把手２とは、たとえば、合成樹脂により一体成形される。
【００１２】
汚物収集部１は、犬の糞を拾い上げて収集する部分であり、傾斜を有する先端壁部１３と、左右の側壁部１４ａ、１４ｂと、背壁部１５とにより周囲を囲むようにして構成される。図１（Ａ）に示すように、底部１６は、その全面が開口１１となっている。先端壁部１３と、その両側を囲む左右の側壁部１４ａ、１４ｂとを結ぶコーナー部１７ａ、１７ｂは、丸みを帯びた形状となっており、また、背壁部１５と、その両側を囲む左右の側壁部１４ａ、１４ｂとを結ぶコーナー部１８ａ、１８ｂも、丸みを帯びた形状となっている。図１（Ｂ）に示すように、先端壁部１３は、底部１６から外方に広がるように、傾斜角θを有して延出している。図２に示すように、汚物収集部１には、開口１１を介して、汚物収納用袋３が着脱自在に取り付けられる。
【００１３】
なお、ここでは、底部１６をすべて開口１１としており、開口１１は四角形であるが、これに限定されるものではない。開口１１は、汚物収納用袋３を取り付けて、犬の糞５をこの汚物収納用袋３に収納する際に、犬の糞５が確実に転がっていき、途中で詰まることがないような形状であれば、どのような形状であってもよい。たとえば、開口１１を丸形としてもよい。
【００１４】
把手２は、作業者が糞取り作業を行う際に、糞処理具１０を保持するためのものである。把手２は、片手で握って作業ができるように、棒状の形状とされている。
【００１５】
なお、ここでは、汚物収集部１と把手２を合成樹脂により一体成形しているが、これに限定されるものではない。たとえば、汚物収集部１と把手２とを別体で成形し、汚物収集部１と把手２とを固着するようにしてもよい。また、汚物収集部１や把手２は、他の材質の部材から成形するようにしてもよい。たとえば、汚物収集部１は、金属板を加工して成形するようにしてもよい。把手２としては、棒状の金属あるいは木製の部材を用いるようにしてもよい。
【００１６】
犬を散歩に連れて行くような場合、上述のように構成される糞処理具１０と、汚物収納用袋３が携行される。汚物収納用袋３は、たとえば、その開口縁の周囲の大きさが汚物収集部１の上縁の周囲の大きさと同程度のビニル袋である。なお、汚物収納用袋３は、市販の汎用のビニル袋を使うことができる。もちろん、汚物収納用袋３として専用の袋を用意してもよい。また、汚物収納用袋３としては、ビニル袋に限らず、他の袋、たとえば紙袋や布製の袋でもよい。
【００１７】
犬の糞取り作業を行う場合には、図３に示すように、汚物収集部１に汚物収納用袋３が取り付けられる。
【００１８】
図３は、汚物収集部１に汚物収納用袋３を取り付ける作業を示すものである。図３（Ａ）に示すように、汚物収納用袋３の底部２２を、汚物収集部１の開口１１を介して挿入し、開口１１から下方に引き出す。そして、図３（Ｂ）に示すように、汚物収納用袋３の開口縁２１を外側に折り返し、汚物収納用袋３の開口縁２１の折り返された部分を、先端壁部１３および側壁部１４ａ、１４ｂに引っ掛けて、固定する。
【００１９】
図４は、犬の糞取り作業を説明するものである。糞取り作業を行う場合には、図４（Ａ）に示すように、汚物収集部１の先端壁部１３を地面に這わせながら、汚物収集部１により、犬の糞５を拾い上げる。犬の糞５を拾い上げたら、図４（Ｂ）に示すように、汚物収集部１を水平にして、上下に２〜３回振る。汚物収集部１を水平にして、２〜３回振ると、汚物収集部１で拾い上げた犬の糞５は、先端壁部１３の内壁の斜面に沿って転がり、開口１１から、汚物収納用袋３内に落下する。このようにして、犬の糞５を汚物収納用袋３内に収納することができる。
【００２０】
犬の糞５を汚物収納用袋３内に収納したら、犬の糞５が入った汚物収納用袋３を汚物収集部１から外し、汚物収納用袋３の開口縁２１を閉じて、犬の糞５が入った汚物収納用袋３を持ち帰る。汚物収納用袋３は、開口縁２１を折り返し、先端壁部１３および側壁部１４ａ、１４ｂに引っ掛けて固定してあるだけなので、汚物収集部１から簡単に外すことができる。
【００２１】
以上説明したように、この考案に係わる糞処理具１０では、汚物収納用袋３の開口縁２１を外側に折り返し、先端壁部１３および側壁部１４ａ、１４ｂに引っ掛けることで、汚物収集部１に汚物収納用袋３を簡単に固定することができる。そして、このように、汚物収集部１に汚物収納用袋３を取り付けると、汚物収集部１により、犬の糞５を拾い上げ、この犬の糞５を、手を汚さずに、汚物収納用袋３に簡単に収納することができ、また、手を汚さずに、簡単に外すことができる。
【００２２】
図１（Ｂ）に示したように、汚物収集部１の先端壁部１３は、外側に傾斜角θを有して延出している。このような傾斜角をつけることにより、糞取り作業が効果的に行える。つまり、汚物収集部１の先端壁部１３に傾斜角が設けられているため、図４（Ａ）に示したように、汚物収集部１の先端壁部１３を地面に対して平行になるように保持し、先端壁部１３の外形を地面に這わせながら、汚物収集部１により、犬の糞５を効率的に拾い上げることができる。
【００２３】
また、汚物収集部１の先端壁部１３に傾斜角が設けられているため、図４（Ｂ）に示したように、汚物収集部１で拾い上げた犬の糞５は、先端壁部１３の斜面に沿って転がり、開口１１から、汚物収納用袋３内に確実に落下する。
【００２４】
さらに、汚物収集部１の先端壁部１３に傾斜角が設けられているため、汚物収納用袋３の開口縁２１を外側に折り返し、先端壁部１３および側壁部１４ａ、１４ｂに引っ掛けて固定したときに、折り返された汚物収納用袋３の部分が鋭角となり、汚物収集部１に汚物収納用袋３に確実に固定できる。
【００２５】
また、この実施の形態では、先端壁部１３と、その両側を囲む左右の側壁部１４ａ、１４ｂとを結ぶコーナー部１７ａ、１７ｂは、丸みを帯びた形状となっている。この部分が角張っていると、汚物収納用袋３が損傷しにくくなり、汚物収納用袋３が取り付けやすくなるが、このように、先端壁部１３とその両側を囲む左右の側壁部１４ａ、１４ｂとを結ぶコーナー部１７ａ、１７ｂを丸みを帯びた形状とすることにより、汚物収納用袋３が損傷しにくくなり、また、汚物収納用袋３の取り付けが容易になる。
【００２６】
第２の実施の形態
図５は、本考案の第２の実施の形態を示すものである。なお、以下、第１の実施の形態と重複説明は、同一符号を付し、その説明を省略する。
【００２７】
図５に示す第２の実施の形態では、背壁部１５と、その両側を囲む左右の側壁部１４ａ、１４ｂとを結ぶコーナー部１８ａ、１８ｂの縁部に、滑り止め部材３１ａおよび３１ｂが設けられる。滑り止め部材３１ａおよび３１ｂを設けると、汚物収納用袋３を先端壁部１３および側壁部１４ａ、１４ｂに引っ掛けたときに、その摩擦力により、汚物収納袋３が外れてしまうことが防止できる。
【００２８】
図６は、滑り止め部材３１ａ、３１ｂの一例である。滑り止め部材３１ａ、３１ｂは、図６に示すように、コーナー部１８ａ、１８ｂの周縁部に、ゴムやウレタンのような摩擦力の大きい部材３２を貼着して、形成することができる。
【００２９】
図７は、滑り止め部材３１ａ、３１ｂの他の例である。図７の例では、コーナー部１８ａ、１８ｂの周縁部は、断面Ｌ字状に形成される。このような加工は、一体成形により実現できる。この折り返された部分３３の表面に、ゴム等の摩擦力が大きくなるような部材３４が貼着される。このようにすると、その表面に貼り付けられた部材３４の摩擦力により、汚物収納袋３が外れてしまうことが防止できる。さらに、断面Ｌ字形の部分３３は弾性力が生じるため、汚物収納袋３が引っかかるようになり、より摩擦力が強くなる。
【００３０】
なお、上述の第２の実施の形態では、コーナー部１８ａ、１８ｂの周縁部に滑り止め部材３１ａおよび３１ｂが設けられている。これは、糞取り作業の最中に、特に先端壁部１３と対向する側から、汚物収納用袋３が外れやすいことを防止するためである。もちろん、滑り止め部材は、コーナー部１８ａ、１８ｂにのみ設ける必要はなく、先端壁部１３、側壁１４ａ、１４ｂおよび背壁部１５からなる収納部１の周縁部の外周のどの部分に設けてもよい。
【００３１】
第３の実施の形態
図８は、本考案の第３の実施の形態を示すものである。図８に示す第３の実施の形態では、先端壁部１３と対向する側、すなわち汚物収納用袋３の把手２側に、クリップ３５を設けたものである。この第３の実施の形態の場合、汚物収集部１に汚物収納用袋３を固定する際に、汚物収納用袋３の開口縁２１を外側に折り返し、汚物収納用袋３の開口縁２１の折り返された部分を、先端壁部１３および側壁部１４ａ、１４ｂに引っ掛けた後に、さらに、汚物収納用袋３の開口縁２１の一部をクリップ３５により固定する。この第３の実施の形態では、先端壁部１３と対向する側、すなわち汚物収納用袋３の把手２側に、汚物収納用袋３の開口縁２１の一部を固定する係止手段として、クリップ３５が設けられるため、汚物収納用袋３は、先端壁部１３側とこれと対向する側とで確実に固定されるようになる。
【００３２】
なお、ここでは、固定手段として、クリップ３５を設けるようにしたが、固定手段は、クリップ３５に限られるものではない。
【００３３】
第４の実施の形態
図９は、本考案の第４の実施の形態を示すものである。この実施の形態では、先端壁部１３と対向する側、すなわち把手２の付け根の部分に、汚物収納用袋３の開口縁２１の一部を固定する係止手段として、係止溝３６が設けられる。係止溝３６はＬ字形に構成される。汚物収納用袋３の開口縁２１をＬ字形係止溝３６の溝の奥まで押し込むことによって、汚物収納用袋３の開口縁２１は外れなくなる。
【００３４】
第５の実施の形態
図１０は、本考案の第５の実施の形態を示すものである。この例では、先端壁部１３と対向する側、すなわち汚物収納用袋３の把手２側に、汚物収納用袋３の開口縁２１の一部を固定する係止手段として、Ｌ字形のフック３７が設けられる。係止溝３６はＬ字型に構成される。汚物収納用袋３の開口縁２１をＬ字形のフック３７の溝の奥まで押し込むことによって、汚物収納用袋３の開口縁２１は外れなくなる。
【００３５】
先端壁部１３と対向する側に設ける係止手段としては、これ以外に、種々のものが考えられる。たとえば、板バネ形の金属片で挟んで固定することも考えられる。
【００３６】
第６の実施の形態
図１１は、この考案の第６の実施の形態を示すものである。この例では、把手２に、糞を処理するときに使用するヘラ４２が着脱自在に収納できる。すなわち、糞を処理するためのヘラ４２が用意される。把手２には、ヘラ４２の形状に対応する溝４１が形成される。ヘラ４２を溝４１に沿って挿入すると、ヘラ４２が溝４１に嵌合して固定される。なお、ヘラ４２が溝４１に確実に固定できるように、たとえば、ヘラ４２にテーパを設ける等が考えられる。また、溝４１からヘラ４２を容易に引き出せるように、ヘラ４２の先端部には、凸部４３が設けられる。このように、把手２にヘラ４２が着脱自在に装着されるため、糞取り作業をするときに、ヘラを忘れずに携帯することができる。
【００３７】
本考案は、上述した実施形態に限定されるものではなく、この考案の要旨を逸脱しない範囲内で様々な変形や応用が可能である。
【００３８】
【考案の効果】
本発明によれば、汚物収納用袋の開口縁を外側に折り返し、汚物収納用袋を底部の開口を介して挿入し、折り返された部分を先端壁部および側壁部の周縁に引っ掛けて固定している。汚物収集部に汚物収納用袋を取り付けると、汚物収集部により、犬の糞を拾い上げ、この犬の糞を、手を汚さずに、汚物収納用袋に簡単に収納することができ、また、手を汚さずに、簡単に外すことができる。
また、汚物収集部の先端壁部は、外側に傾斜角を有して延出しているため、糞取り作業が効果的に行えるとともに、拾い上げた糞を確実に汚物収納用袋に収納することができる。
また、汚物収集部の先端壁部が外側に傾斜しているため、先端壁部の周縁が鋭角となり、汚物収納用袋を確実に固定できる。
また、側壁部の周縁部に、汚物収納袋の滑り止め部材を設けたために、汚物収納用袋が落下するのを防止できる。
さらに、先端壁部と対向する側、すなわち把手部の付け根に、汚物収納袋を固定するための係止手段を設けために、汚物収納用袋をさらに確実に固定できる。
また、汚物収集部の把手部に、着脱自在のヘラ収納部を設けたために、糞処理作業をする際に、ヘラを忘れずに携帯することができる。
【図面の簡単な説明】
【図１】本考案に係る糞処理具の第１の実施の形態を示す平面図および側面図である。
【図２】本考案に係る糞処理具の第１の実施の形態を示す斜視図である。
【図３】本考案に係る糞処理具における糞収納用袋の取り付け方法の説明図である。
【図４】本考案に係る糞処理具の使用方法の説明図である。
【図５】本考案に係る糞処理具の第２の実施の形態を示す側面図である。
【図６】滑り止め部材の一例を説明する断面図である。
【図７】滑り止め部材の他の例を説明する断面図である。
【図８】本考案に係る糞処理具の第３の実施の形態を示す斜視図である。
【図９】本考案に係る糞処理具の第４の実施の形態を示す側面図である。
【図１０】本考案に係る糞処理具の第５の実施の形態を示す側面図である。
【図１１】本考案に係る糞処理具の第６の実施の形態を示す斜視図である。
【符号の説明】
１…汚物収集部、２…把手、３…汚物収納用袋、１１…開口、１３…先端壁部、１４ａ、１４ｂ…側壁部、１５…背壁部、１６…底部、３１ａ、３１ｂ…滑り止め部材、３２…摩擦力が大きい部材、３３…断面Ｌ字型部分、３４…摩擦力が大きい部材、３５…クリップ、３６…係止溝、３７…フック、４１…溝、４２…ヘラ
【図１】
0003098074.tif 000003
【図２】
0003098074.tif 000004
【図３】
0003098074.tif 000005
【図４】
0003098074.tif 000006
【図５】
0003098074.tif 000007
【図６】
0003098074.tif 000008
【図７】
0003098074.tif 000009
【図８】
0003098074.tif 000010
【図９】
0003098074.tif 000011
【図１０】
0003098074.tif 000012
【図１１】
0003098074.tif 000013